(57)【要約】      （修正有）【課題】  振り子の支持構造をより合理的に構成してなる振り子装置を得ること。【解決手段】  シャフト２１０を設けた振り子２００と、シャフト２１０を回転可能に支持するシャフト支持手段３００と、シャフト支持手段３００を支持する支持体１０と、振り子２００を駆動する振り子駆動手段とを備え、シャフト支持手段３００は、シャフト２１０を挿通するホルダ３１０と、ホルダ３１０に対してシャフト２１０の挿通方向に所定の間隔で配置された複数のボールベアリング３２０とを備え、シャフト２１０は、複数のボールベアリング３２０を介して支持した構成の振り子装置１００である。【選択図】図２
2008008824.tif 000002
【特許請求の範囲】
【請求項１】
シャフトを設けた振り子と、前記シャフトを回転可能に支持するシャフト支持手段と、前記シャフト支持手段を支持する支持体と、前記振り子を駆動する振り子駆動手段とを備え、
前記シャフト支持手段は、前記シャフトを挿通するホルダと、前記ホルダに対して前記シャフトの挿通方向に所定の間隔で配置された複数のボールベアリングとを備え、
前記シャフトは、前記複数のボールベアリングを介して支持したことを特徴とする振り子装置。
【請求項２】
前記ホルダは、前記ボールベアリングをそれぞれ保持する一対のホルダ部材を組付けてなることを特徴とする請求項１記載の振り子装置。
【請求項３】
前記ホルダは、前記シャフトの挿通方向の両端部を前記支持体にそれぞれ支持したことを特徴とする請求項１又は２記載の振り子装置。
【請求項４】
前記支持体は、パイプ状の部材であり、
前記ホルダは、前記支持体の内部に支持し、
前記支持体の要所には、前記シャフトを前記支持体の外部から前記ホルダへ挿通するための孔部を設けたことを特徴とする請求項１乃至３のいずれか記載の振り子装置。
【発明の詳細な説明】
【技術分野】
【０００１】
本発明は、時計の装飾等に利用される振り子装置に関する。
【背景技術】
【０００２】
壁掛け時計や置き時計としては、装飾用の振り子装置を備えたものが知られている。特に、特許文献１には、ボールベアリングを介して振り子を支持体に軸支する構成が開示されている。ボールベアリングを採用することによれば、支持体に対する振り子の支持が確実に安定化するので、より精密で滑らかな振り子の揺動を得ることが可能となる。
【特許文献１】特開２００５−７７１４７号公報
【発明の開示】
【発明が解決しようとする課題】
【０００３】
さて近年、時計のデザインはますます多様化される傾向にあり、振り子装置についても、装飾的に一層趣向を凝らすとともに、耐久性、組付け性、及び駆動の安定性を向上すべく、更なる構造的工夫が求められている。本発明は、かかる事情に鑑みてなされたものであり、その目的は、振り子の支持構造をより合理的に構成してなる振り子装置を提供することである。
【課題を解決するための手段】
【０００４】
本願第１請求項に記載した発明は、シャフトを設けた振り子と、前記シャフトを回転可能に支持するシャフト支持手段と、前記シャフト支持手段を支持する支持体と、前記振り子を駆動する振り子駆動手段とを備え、前記シャフト支持手段は、前記シャフトを挿通するホルダと、前記ホルダに対して前記シャフトの挿通方向に所定の間隔で配置された複数のボールベアリングとを備え、前記シャフトは、前記複数のボールベアリングを介して支持した構成の振り子装置である。
【０００５】
本願第２請求項に記載した発明は、請求項１において、前記ホルダは、前記ボールベアリングをそれぞれ保持する一対のホルダ部材を組付けてなる構成の振り子装置である。
【０００６】
本願第３請求項に記載した発明は、請求項１又は２において、前記ホルダは、前記シャフトの挿通方向の両端部を前記支持体にそれぞれ支持した構成の振り子装置である。
【０００７】
本願第４請求項に記載した発明は、請求項１乃至３のいずれかにおいて、前記支持体は、パイプ状の部材であり、前記ホルダは、前記支持体の内部に支持し、前記支持体の要所には、前記シャフトを前記支持体の外部から前記ホルダへ挿通するための孔部を設けた構成の振り子装置である。
【発明の効果】
【０００８】
本発明によれば、振り子の支持構造をより合理的に構成してなる振り子装置を得ることができる。
【発明を実施するための最良の形態】
【０００９】
以下に、本発明の実施例を図面に基づいて説明する。図１に示す振り子装置１００は、時計１を装飾するものである。この時計１は、帯状のリング体２０の中心に配置された一対の指針３０がリング体２０の周方向に回転するように構成されたものである。リング体２０には、その帯状の面と直交する方向にパイプ状の支持体１０の上端部が貫通されており、指針３０を駆動するムーブメントは、支持体１０の内部に設けられている。指針３０は、支持体１０の外部において駆動する。支持体１０は垂直に設けられており、支持体１０の下端部は台座部４０に固定されている。デザイン的に工夫を凝らした時計１である。
【００１０】
図２乃至図４に示すように、本例の振り子装置１００は、シャフト２１０を設けた振り子２００と、シャフト２１０を回転可能に支持するシャフト支持手段３００と、シャフト支持手段３００を支持する支持体１０と、振り子２００を駆動する振り子駆動手段４００とを備えたものである。
【００１１】
振り子２００は、シャフト２１０を中心に正逆回転し、パイプ状の部材からなる支持体１０の正面側において揺動する構成となっている。振り子２００の上端部には、シャフト２１０を装着するシャフト装着部２２０が設けられている。シャフト２１０は、その基端部２１１をシャフト装着部２２０に嵌装して設けられ、支持体１０に向って水平に突出している。また、振り子２００の下端部には、磁石２３０及び振り玉２４０が設けられている。
【００１２】
振り子駆動手段４００は、台座部４０の上部に設けられており、磁気的作用にて振り子２００を揺動する。この振り子駆動手段４００は、振り子２００の磁石２３０がその近傍を通過する際に検出コイルに誘起電圧を発生し、検出コイルに誘起電圧が発生すると駆動コイルに電流が流れ、駆動コイルが磁石２３０を反発することにより振り子２００を加勢する構成となっている。
【００１３】
シャフト支持手段３００は、シャフト２１０を挿通するホルダ３１０と、ホルダ３１０に対してシャフト２１０の挿通方向に所定の間隔で配置された複数のボールベアリング３２０とを備えたものである。各ボールベアリング３２０は、ホルダ３１０にアウターを保持されており、シャフト２１０は、各ボールベアリング３２０のインナーに圧入されている。シャフト２１０は、複数のボールベアリングを介して支持されている。
【００１４】
ホルダ３１０は、ボールベアリング３２０をそれぞれ保持する一対の円筒状のホルダ部材３１１を組付けてなるものである。一対のホルダ部材３１１は、それらの一方の端部を他方の内部に嵌装して組付けるものとなっている。また、各ボールベアリング３２０の間には、円筒状のスペーサ３１２及びリング状のクッション３１３を設けている。ホルダ３１０は、支持体１０の内部に水平に設けられる。具体的には、支持体１０の内部において、シャフト２１０の挿通方向の両端部を支持体１０にそれぞれ支持して設けられる。本例の場合、支持体１０の要所には、イモねじ３０１を螺合する雌ねじ部１３を設けるとともに、各ホルダ部材３１１の要所には、イモねじ３０１の先端部を嵌合する嵌合部３０２を設けている。ホルダ３１０は、雌ねじ部１３にイモねじ３０１を螺合することにより、イモねじ３０１の先端部が嵌合部３０２に嵌合して支持される構成となっている。
【００１５】
支持体１０の要所には、シャフト２１０を支持体１０の外部前方からホルダ３１０へ挿通するための第１孔部１１と、ホルダ３１０を貫通したシャフト２１０の先端部２１２を支持体１０の外部後方へ露出するための第２孔部１２が設けられている。振り子２００は、ホルダ３１０を支持体１０の内部に支持した後に、シャフト２１０を第１孔部１１から挿入して組付けられる。第２孔部１２から露呈したシャフト２１０の先端部２１２には、抜け止め手段となるキャップ３３０を装着している。
【００１６】
以上説明したように、本例の振り子装置は、振り子の支持構造をより合理的になるものである。一般に、振り子の揺動の安定性を考慮すると、振り子の重心は、支点の真下に位置することが望ましいとされる。この点、本例の振り子は、水平方向に突出した一本のシャフトにて支えられるものであり、その重心は、支点となるシャフトの真下に位置していない。そこで、シャフトを複数のボールベアリングを介して支持することにより、振り子の揺動を安定化する構成となっている。つまり、このような構成によると、より斬新なデザインに対応すべく、設計の自由度を確実に向上することができるという利点がある。比較的長い振り子や重い振り子を用いることも可能である。また、機械的強度及び耐久性にも優れている。装置が傾いても破損の心配は少ない。尚、本例における各部の構成は、特許請求の範囲に記載した技術的範囲において適宜に設計変更が可能であり、図例説明したものに限定されないことは勿論である。
【産業上の利用可能性】
【００１７】
本発明の振り子装置は、置時計や壁掛け時計を装飾する装置として好適に利用することが可能である。
【図面の簡単な説明】
【００１８】
【図１】本発明の実施例に係り、振子装置を備えた時計を示す正面図である。
【図２】本発明の実施例に係り、振子装置の要部を示す透視側面図である。
【図３】本発明の実施例に係り、振子装置の要部を示す透視上面図である。
【図４】本発明の実施例に係り、振子装置のの要部を示す透視側面図である。
【符号の説明】
【００１９】
１    時計
１０    支持体
１１    第１孔部
１２    第２孔部
１３    雌ねじ部
２０    リング体
３０    指針
４０    台座部
１００    振り子装置
２００    振り子
２１０    シャフト
２１１    基端部
２１２    先端部
２２０    シャフト装着部
２３０    磁石
２４０    振り玉
３００    シャフト支持手段
３０１    イモねじ
３０２    嵌合部
３１０    ホルダ
３１１    ホルダ部材
３１２    スペーサ
３１３    クッション
３２０    ボールベアリング
３３０    キャップ
４００    振り子駆動手段
【図１】
2008008824.tif 000003
【図２】
2008008824.tif 000004
【図３】
2008008824.tif 000005
【図４】
2008008824.tif 000006